(57)【要約】【課題】歯並びに歯茎の洗浄において、液流での洗浄を普及させるために、１つの形状で多くの人に対応できるシンプルな構造の洗浄具を実現させることを課題とする。【解決の手段】歯を入ることが可能な凹部を有し、液体を噴出する２つ以上の孔を凹部面に有する洗浄具頭部の凹部が、洗浄具頭部を保持するブラケットに対し、自在に角度を変えるこができ、蛇口、シャワー等の液体供給元に浄具のブラケット簡単に脱着できるようにすることにより、課題を解決する。【選択図】図１
2006166963.tif 000002
【特許請求の範囲】
【請求項１】
洗浄具頭部に歯を入ることが可能な凹部を有し、液体を噴出する２つ以上の孔を凹部面に有する歯及び歯茎を洗浄するための洗浄具において、凹部（１０）を有する洗浄具頭部（１１）の凹部（１０）が、洗浄具頭部（１１）を保持するブラケット（１２）に対し、自在に角度を変えるこができることを特徴とする歯及び歯茎を洗浄するための洗浄具。
【請求項２】
洗浄具頭部（１１）の凹部（１０）に設けられた液体を噴出するすべての孔の噴出方向が、凹部面に向けられ、液体が孔から直接洗浄具頭部（１１）の外に噴出しないことを特徴とする歯及び歯茎を洗浄するための前掲請求項１に記載の洗浄具。
【請求項３】
ブラケット（１２）に設けられた液流取り込み口（１３）が、ホースを介し液体供給元より、液流を取り込めることを特徴とする前掲請求項１又は２に記載の歯及び歯茎を洗浄するための洗浄具。
【請求項４】
ブラケット（１２）に設けられた液流取り込み口（１３）が、液流をシャワーの噴水口より取り込めることを特徴とする前掲請求項１又は２に記載の歯及び歯茎を洗浄するための洗浄具。
【請求項５】
ブラケット（１２）に洗浄液を入れるためのタンク（１４）有し、洗浄具頭部（１１）の凹部（１０）の液体を噴出する孔（１５）に供給される液体の液路（１６）とタンク（１４）が繋がった構造を特徴とする前掲請求項１から４のいずれかに記載の歯及び歯茎を洗浄するための洗浄具。
【発明の詳細な説明】
【技術分野】
【０００１】
本発明は、水等の液体を歯並びに歯茎に噴出し、歯並びに歯茎を洗浄する治具に関するものである。
【背景技術】
【０００２】
特許公開公報（例えば、特許文献１参照）には口腔内に差込可能な凹部を有するヘッド部の凹部に、洗浄液の供給口と排水口を持つ構造が開示されている。
【０００３】
また、特許公開公報（例えば、特許文献２参照）には洗浄液を上下の歯に同時噴出して歯を洗浄する洗浄装置が開示されている。
【０００４】
また、特許公開公報（例えば、特許文献３参照）には水を注水させる注水口と、水を口腔内から吸引するための吸引口とを持つ洗浄用チューブと、清掃用部材とを併用した構造で、歯を洗浄する洗浄装置が開示されている。
【特許文献１】特開平８−３０８８６３号公報（請求項１）。
【特許文献２】特開２００２−４５３７８号公報（請求項１）。
【特許文献３】特開２００１−２９９７８４号公報（請求項１）。
【発明の開示】
【発明が解決しようとする課題】
【０００５】
歯及び歯茎洗浄方法として、歯ブラシによるブラッシングが一般的であるが、ブラッシングによると歯及び歯茎洗浄において、どうしても非接触箇所が発生し、非接触箇所に洗浄残りが発生するという問題点が存在していた。
【０００６】
そこで、歯を洗浄する装置として公開されている「特開２００２−４５３７８号公報」のように洗浄液を歯に噴出して歯を洗浄する機構が考案されているが、歯に沿って彎曲した上下溝に歯入れて洗浄する場合、口腔内からの排水の問題、歯に沿って彎曲した上下溝の構造により使用者専用の形状が必要となる問題により、液体の噴射による洗浄方法が普及していないのが現状であった。
【０００７】
そこで本発明は、歯並びに歯茎の洗浄において、日常生活の中で、毎日行う歯の保全行為の洗浄具として普及させるために、１つの形状で多くの人に対応できるシンプルな構造の液流を用いた歯並びに歯茎の洗浄具を実現させることを課題とする。
【課題を解決するための手段】
【０００８】
本発明に係る歯及び歯茎を洗浄する洗浄具は、洗浄具頭部に歯を入ることが可能な凹部を有し、液体を噴出する２つ以上の孔を凹部面に有する歯及び歯茎を洗浄するための洗浄具において、凹部１０を有する洗浄具頭部１１の凹部１０が、洗浄具頭部１１を保持するブラケット１２に対し、自在に角度を変えるこができることを第１の特徴とする。
【０００９】
本発明に係る歯及び歯茎を洗浄する洗浄具の第２の特徴は、洗浄具頭部１１の凹部１０に設けられた液体を噴出するすべての孔の噴出方向が、凹部面に向けられ、液体が孔から直接洗浄具頭部１１の外に噴出しない点にある。
【００１０】
本発明に係る歯及び歯茎を洗浄する洗浄具の第３の特徴は、ブラケット１２に設けられた液流取り込み口１３が、ホースを介し液体供給元より、液流を取り込める点にある。
【００１１】
本発明に係る歯及び歯茎を洗浄する洗浄具の第４の特徴は、ブラケット１２に設けられた液流取り込み口１３が、液流をシャワーの噴水口より取り込める点にある。
【００１２】
本発明に係る歯及び歯茎を洗浄する洗浄具の第５の特徴は、ブラケット１２に洗浄液を入れるためのタンク１４有し、洗浄具頭部１１の凹部１０の液体を噴出する孔１５に供給される液体の液路１６とタンク１４が繋がった構造を持つ点にある。
【発明の効果】
【００１３】
本発明によると、凹部１０を有する洗浄具頭部１１の凹部１０が、洗浄具頭部１１を保持するブラケット１２に対し、自在に角度を変えるこができることにより、本洗浄具１つで、口腔内において上下左右どの位置の歯に対しても、それぞれを覆う状態で洗浄具頭部１１の凹部１０を配置でき、大変に使いやすい。
【００１４】
また、本発明では、洗浄具頭部１１の凹部１０に設けられた液体を噴出するすべての孔の噴出方向が、凹部面に向けられ、液体が直接洗浄具頭部１１から噴出しないため、洗浄具頭部１１を口腔内に入れる前に液体を流しても、液体が洗浄具頭部１１から飛び散ることなく、取り扱いが容易であると共に、温水を流体として使用する場合、洗浄具頭部１１を口腔内に入れる前に温水を流し温度を確認し、その後に口腔内に入れることを可能となり、安全面からも非常に有用である。
【００１５】
また、本発明では、ブラケット１２に設けられた液流取り込み口１３が、ホースを介し液体供給元より、液流を取り込めるため、家庭内のお風呂の蛇口を液体供給元として使用でき、使用方法が非常に簡単になる。
【００１６】
また、本発明によると、ブラケット１２に設けられた液流取り込み口１３が、液流をシャワーの噴水口より取り込めるようになっており、本発明の洗浄具をお風呂のシャワーの噴水口に装着する方法をとることにより、洗浄具を大幅に小型化でき、歯ブラシ感覚で使用できる洗浄治具となり得る。
【００１７】
また、本発明によると、ブラケット１２に洗浄液を入れるためのタンク１４有しており、液流に洗浄液を混入することができるため、洗浄液による洗浄効果をも得ることが出来る。
【発明を実施するための最良の形態】
【００１８】
以下、図面に示す実施の形態により、本発明を詳細に説明する。
【００１９】
図１は、本発明に係る歯及び歯茎を洗浄するための洗浄具の要部を図示するものであり、本発明の洗浄具は歯を覆うことの出来る凹部を有し、洗浄具頭部が口腔内に挿入可能な大きさの洗浄具であり、本発明の洗浄具は、液体を噴出する多数の孔を凹部１０の凹面に有する洗浄具頭部１１と洗浄具頭部１１を保持するブラケット１２から成る。
【００２０】
洗浄具頭部１１はブラケット１２と接する面が球面となっており、ブラケット１２の洗浄具頭部１１を保持する保持部１５は、洗浄具頭部１１の球面を抱える形状になっており、この構造により、洗浄具頭部１１の凹部１０がブラケット１２に対し自在に角度を変えるこができる。
【００２１】
なお、凹部１０の長さＬは２本の歯を覆うことのできる長さまでであればよく、歯及び歯茎に接する部分は、シリコーン、ゴム等の素材が好ましい。
【００２２】
図２は、本発明に係る歯及び歯茎を洗浄するための洗浄具の要部を図示するものであり、洗浄具頭部１１の凹部１０に設けられた液体を噴出する孔１５の噴出方向２０は凹部面を向いた構造となっており、すべての孔の噴出方向が、それぞれ凹部面に向けられており、液体が噴出する孔から直接洗浄具頭部１１の外に噴出しない構造となっている。
【００２３】
図３は、本発明に係る歯及び歯茎を洗浄するための洗浄具を図示するものであり、ブラケット１２の端部には、洗浄具頭部１１の凹部１０に設けられた液体を噴出する孔１５に繋がる液流取り込み口１３が構成されており、この液流取り込み口１３はホース３２が差し込める構造となっており、このホース３２を液体供給元である蛇口３３に取り付けることにより液流を取り込める。
【００２４】
また、本発明において、液流取り込み口１３へのホース接続は、ホース３２に接続具を取り付け、ホースに取り付けられた接続具を介した接続であってもよい。
【００２５】
なお、本発明においては、ホース３２をブラケット１２に接続した状態で、液体供給元である蛇口での脱着を行う使用方法であっても、液体供給元である蛇口３３にホース３２を接続したままで、液流取り込み口１３での脱着を行う使用方法であってもよい。
【００２６】
図４は、本発明に係る歯及び歯茎を洗浄するための洗浄具を図示するものであり、ブラケット１２は、シャワー噴水口３０に接する液流取り込み口１３の縁部２１がパッキンで構成され、縁部２１の外側にシャワーブラケット先端３１をホールドする鉤型の突起２２を複数構成し、液流取り込み口１３を液流の供給源であるシャワー噴水口３０に圧着させ、液流を取り込める構造となっている。
【００２７】
なお、図４は、本発明に係る１形状を図示するものであり、本発明においては、縁部２１の幅が広くシャワー噴水口３０の幾つか穴を塞ぐ形状であってもよく、縁部２１の素材はシャワー噴水口３０と縁部２１が密着できる素材であればよく、液流取り込み口１３と液流の供給源であるシャワー噴水口３０との圧着機構も、シャワーの噴水口側に取り付け用の部材を取り付け、シャワーの側の部材と勘合する形状の部材を液流取り込み口１３付近に設け勘合する機構としてもよい。
【００２８】
図５は、本発明に係る歯及び歯茎を洗浄するための洗浄具の要部を図示するものであり、ブラケット１２に洗浄液を入れるためのタンク１４有し、洗浄具頭部１１の凹部１０の液体を噴出する孔１５に供給される液体の液路１６とタンク１４が繋がった構造となっており、タンク１４は洗浄液を入れた後、洗浄液がこぼれないようにするための蓋１７がついており、液体の液路１６とタンク１４との接続部３４は、壁面が接し、タンク１４内と液体の液路１６とが遮断された状態になっており、この接続部３４の上下は管形状になっている。
【００２９】
図６は、図５の要部を図示するものであり、接続部３４は力を加えると変形する素材でできており、通常時は、接続部３４において、壁面が接し、タンク１４内と液体の液路１６とが遮断された状態になっており、接続部３４に矢印方向の外圧を加えた加圧時には、接続部３４に隙間が生じ、タンク１４内と液体の液路１６が繋がる構造になっている。
【００３０】
なお、図５は、本発明に係る１形状を図示するものであり、液体の液路１６とタンク１４との接続部に弁を用いた洗浄液の供給方法であっても、液体の液路１６とタンク１４との接続部を微細な穴とし、液路１６に液体な流れる時に接続部の微細な穴部に発生する負圧による洗浄液の供給方法であってもよい。
【００３１】
また、タンク１４には負圧調整をするための、空気の取り込み口を設けても良い。
【図面の簡単な説明】
【００３２】
【図１】本発明に係る洗浄具の要部斜視図である。
【図２】本発明に係る洗浄具の要部斜視図である。
【図３】本発明に係る洗浄具の要部斜視図である。
【図４】本発明に係る洗浄具の要部断面図である。
【図５】本発明に係る洗浄具の要部斜視図である。
【図６】本発明に係る洗浄具の要部斜視図である。
【符号の説明】
【００３３】
１０：凹部
１１：洗浄具頭部
１２：ブラケット
１３：液流取り込み口
１４：タンク
１５：孔
１６：液路
１７：蓋
２０：噴出方向
２１：縁部
２２：突起
３０：シャワー噴水口
３１：シャワーブラケット先端
３２：ホース
３３：蛇口
３４：接続部
４０：洗浄具
５０：人体頭部
５１：人体口部
５２：歯部
【図１】
2006166963.tif 000003
【図２】
2006166963.tif 000004
【図３】
2006166963.tif 000005
【図４】
2006166963.tif 000006
【図５】
2006166963.tif 000007
【図６】
2006166963.tif 000008